【手続補正書】
【提出日】平成16年4月30日(2004.4.30)
【手続補正１】
【補正対象書類名】明細書
【補正対象項目名】全文
【補正方法】変更
【補正の内容】
【書類名】明細書
【特許請求の範囲】
【請求項１】水洗便器への便器洗浄水給水路に設ける殺菌装置において、自蔵エネルギー供給手段と、電気エネルギーによって駆動し、電極反応によって殺菌成分を生成する少なくとも一対の電極で構成され、電極の材質が少なくとも一方が銀である便器洗浄水に殺菌成分を供給する殺菌成分供給手段とを設け、前記便器洗浄水給水路の通水時に前記自蔵エネルギー供給手段から前記殺菌成分供給手段に給電することを特徴とする便器洗浄水の殺菌装置。
【請求項２】前記自蔵エネルギー供給手段とは、前記便器洗浄水給水路の内部に設けた翼車と、翼車により駆動される発電機であり、前記便器洗浄水給水路の水流により前記翼車を回転させ、この回転により発電機が発電することを特徴とする請求項１に記載の便器洗浄水の殺菌装置。
【請求項３】 前記殺菌成分供給手段とは、電極反応によって殺菌成分を生成する少なくとも一対の電極であり、かつ前記翼車が前記電極の間に配設されていることを特徴とする請求項２に記載の便器洗浄水の殺菌装置。
【請求項４】 前記水洗便器が小便器であることを特徴とする請求項１から請求項３のいずれかに記載の便器洗浄水の殺菌装置。
【発明の詳細な説明】
【０００１】
【発明の属する技術分野】本発明は、水洗便器への便器洗浄水給水路に設ける殺菌装置に関する。
【０００２】
【従来の技術】従来、便器の日常的洗浄は、使用者のボタン操作等による手動洗浄装置、あるいは、便器の前に人が立ったことを検出し、便器の使用が終了した時点で自動的に上水又は中水を流すという動作を行なう自動洗浄装置により行なわれていた。
【０００３】 しかし、便器使用後に単に水を流すのみでは、徐々に便器に水アカやぬめりが付着したり臭気が発生することを防止することができない。また、小便器においては尿石が配管内に付着して汚水の通過路を狭くしたり、便器の表面に付着して外観を損ね、細菌繁殖の温床となって臭気を放つようになる。このように一旦付着してしまった尿石は通常の清掃では除去することは難しく、ブラシで強く擦らないと取れない。このため、尿石除去は専門の業者に依頼する必要があり、大きな負担となっていた。
【０００４】この問題に対し、便器洗浄水に殺菌力を有する成分を生成し供給させることによって対処する方法もいくつか開示されている。
【０００５】例えば、本願出願人は、水道水は塩素イオンを含有するということに着目し、この水を電気分解して得られる遊離塩素含有水を便器に供給して尿石等便器の汚れや臭気の原因となる細菌を効果的に殺菌する便器洗浄装置を提案した。（ＰＣＴ／ＪＰ９５／０１６５０）
【０００６】 また別の例としては、水洗便器に対する便器洗浄水給水路と、この便器洗浄水給水路内に銀イオンを混入させる銀極板を有するイオン発生器と、前記便器洗浄水給水路に設けた開閉弁の開弁動作に連動して閉成し銀極板に給電する電源装置とを備えた便器洗浄水の殺菌浄化装置も知られている。（実開平７−１７３９１）
【０００７】これらの発明では、いずれも電気エネルギーは家庭用電源などの商用電源から供給する方式をとっていた。
【０００８】
【発明が解決しようとする課題】しかしながら、これらの商用電源による従来の方式には、停電時の器具の作動ができない、感電のおそれがある、といった欠点があった。
【０００９】 本発明はこのような課題を解決するためになされたものであり、水アカ、ぬめりの付着や臭気の発生を防止する機能を備え、さらに小便器においては、尿石の付着にともなう汚水の通過路の狭小化や美観の損傷、臭気の発生をも防止する機能も兼ね備えるとともに、これらのあらゆる機能が停電時でも使用でき、かつ感電のおそれのない便器洗浄水の殺菌装置を提供することを目的とする。
【００１０】
【課題を解決するための手段および作用・効果】本発明は、水洗便器への便器洗浄水給水路に設ける殺菌装置において、自蔵エネルギー供給手段と、電気エネルギーによって駆動し、電極反応によって殺菌成分を生成する少なくとも一対の電極で構成され、電極の材質が少なくとも一方が銀である、便器洗浄水に殺菌成分を供給する殺菌成分供給手段とを設け、前記便器洗浄水給水路の通水時に前記自蔵エネルギー供給手段から前記殺菌成分供給手段に給電するようにした。
【００１１】電極反応によって殺菌成分を生成する少なくとも一対の電極で構成することにより、この電気エネルギーで殺菌成分供給手段を駆動させ、便器洗浄水中に殺菌成分を供給する。その結果、商用電源への接続が不要であり、停電時でも殺菌成分を含んだ便器洗浄水を供給でき、便器内及び配管内に存在する細菌を殺菌することができ、水アカ、ぬめりの付着や臭気の発生を防止することができる。
【００１２】
【００１３】これにより、殺菌成分の供給を電極のみで行うことが可能である。タンクに収容した殺菌薬剤を電動ポンプで便器洗浄水中に供給することを以て殺菌成分供給手段を形成する構成に比べ、装置が小型化できるとともに、人体にも危険な殺菌薬剤を貯蔵する必要がないことから安全性も向上し、また、保存性に乏しい殺菌成分（例えば次亜塩素酸）を用いる場合においても、生成後すぐに便器洗浄水に供給させるので、殺菌成分の濃度が低下する心配がない。
【００１４】
【００１５】また、材質を少なくとも一方が銀にしたことにより、銀電極から銀イオンとして溶解させ、便器洗浄水中に供給する。殺菌に必要な銀イオン濃度は一般に５０μｇ／Ｌ以上とされており、他の殺菌成分である次亜塩素酸（本発明の請求項２の構成の一例であるイリジウム−白金合金製の電極を用いた場合、電極反応により、水道水中の塩素イオンから次亜塩素酸を発生させることができる。）では、同じく一般に５００μｇ／Ｌ以上とされているのに比べ、少ない濃度で殺菌効果が得られる。さらにこれらの電極反応効率（すなわち電極間を流れた電子の当量に対する、生成した殺菌成分の当量の割合。）は、銀から銀イオンを生成する反応では極めて高い。このことから、電極の材質に銀を用いた場合、非常に少ない電子量、すなわち電流値で殺菌効果が得られる。電流値が低いことから、同一の電極形状（電極面積および電極間距離）の条件下では、他の殺菌成分を供給する場合に比べて消費電力を少なくすることができる。また、同一の消費電力の条件下では、電極間距離を広く、あるいは電極面積を小さくすることができる。前者の場合、通水による圧力損失が軽減されるので、時間あたりに洗浄水供給流路を流れる水量（ここではこの値を「流量」と呼ぶ。）が低下するという不便がない。また、後者の場合、殺菌成分供給手段が小型化でき、使用の際に邪魔にならない。
【００１６】また、本発明の好ましい様態として、上記の各々の構成における自蔵エネルギー供給手段を、前記便器洗浄水給水路の内部に設けた翼車と、翼車により駆動される発電機で構成し、前記便器洗浄水給水路の水流により前記翼車を回転させ、この回転により発電機が発電するようにしたものを挙げることができる。
【００１７】これにより、便器の使用が終了した時点で水を流す時に、便器洗浄水給水路を流れる水のエネルギーが発電機により電気エネルギーに変換され前記殺菌成分供給手段に給電される。時間あたりに発電される電気エネルギー（単位は「ワット」など）は、流量（単位は「リットル／分」など）に比例し、一方、時間あたりに供給される殺菌成分の量は時間あたりに給電される電気エネルギーに比例する。結果的としてランニングコストが不要になるとともに、便器洗浄水の殺菌成分濃度（すなわち、「時間あたりに供給される殺菌成分の量」を、「洗浄水供給流路の流量」で除した値。）を一定に保つことができる。
【００１８】この時さらに好ましい様態として、上記構成において、前記殺菌成分供給手段を電極反応によって殺菌成分を生成する少なくとも一対の電極とし、かつ前記翼車を前記電極の間に配設したものを挙げることができる。
【００１９】 閉ざされた水路を流れる水の流れの状態には、層流と乱流の二種類の流れがある。流れがこの両者のいずれかになるかは、流体力学的にはレイノルズ数と呼ばれる指標によって決定されるが、便器洗浄水の一般的な条件下（すなわち流量１０〜１５リットル／分、流路断面積０．７〜４平方ｃｍの異物のない直線状の流路）でのレイノルズ数を計算すると、いずれも層流の領域になる。
【００２０】しかし、本発明のこの様態においては、水路中に翼車という異物が存在することの効果に加え、水流による翼車の回転により流れがかく乱させられ、乱流状態になる。
【００２１】乱流状態においては、電極反応により生成した殺菌成分が、水流によって流れ方向に拡散するとともに、断面方向（対極へ向かう方向）へも拡散されるので、電極近傍において電極面に沿って下流に行っても殺菌成分の濃度が過剰に高くなることはない。
【００２２】 化学反応では一般的に、反応生成物は速やかに反応容器から排除した方が反応効率（与えたエネルギーのうち、反応生成物の生成に費やされたエネルギーの割合。）を高く維持することができることが知られている。本発明の様態においても、電極における反応で生成した殺菌成分が乱流による拡散で速やかに電極近傍から排除されるため、高い反応効率を維持することができ、エネルギーの無駄がない。
【００２３】なお、本発明を小便器に適用した場合において、以上に述べた効果のほかにも秀逸な効果を発揮する。その理由を以下に記す。
【００２４】 小便器への尿石の付着のメカニズムは次のようなものと考えられている。小便器に排尿をすると、小便器表面に尿が付着するとともに、小便器内のトラップ部に尿が滞留する。一般に小便器には多数の細菌が存在する。尿には多量の尿素が含有されているが、小便器表面やトラップ部の滞留水に細菌が存在すると、尿素は細菌の有する酵素ウレアーゼの作用によりアンモニアと二酸化炭素に分解される。この時生成するアンモニア量が多いと臭気の一因となる。またアンモニアが生成すると、小便器表面に付着した液体やトラップ部の滞留水に溶解し、その液体のｐＨが上昇する。ｐＨが上昇すると、小便器表面に付着した液体やトラップ部の滞留水に含まれるカルシウムイオンが炭酸塩やリン酸塩へと変化して析出し、尿石として便器に付着し、着色汚れの原因となる。
【００２５】 以上から、本発明に係る便器洗浄水の殺菌装置を小便器に適応した様態では、生成された殺菌成分を小便器に流すことにより、小便器内に存在する細菌を殺菌するため、このような尿石付着の原因が排除され、小便器は常に清浄な状態に保たれて美観を損ねることもなく、尿石の配管内への付着による汚水通過路の狭小化が防止され、また、アンモニア等による臭気の発生も防止される。
【００２６】
【発明の実施の形態】以下、本発明の実施例を図面を用いて説明する。なお、本実施例では主として本発明の便器洗浄水の殺菌装置を小便器に適用した例を示したが、大便器に用いても同様の効果を発揮することができる。
【００２７】図１は本発明に係る便器洗浄水の殺菌装置の第一の実施例である。電解槽２１が便器洗浄用給水管２３のフラッシュバルブ等からなる給水弁２４よりも下流に設けられている。給水弁２４は公知の便器自動洗浄システム３に接続されている。便器洗浄用給水管２３は小便器１に接続されている。
【００２８】図２は電解槽２１の詳細な図面である。電解槽２１の内部には、殺菌成分供給手段である金属銀の平板を向かい合わせて配置した一対の電極６ａ、６ｂと、この電極間に形成された電極間流路７と、この電極間流路７に設けられた翼車１２とが設けられ、電極間流路７に連通する液体流入口と液体流出口とを有する。この翼車１２と、これに連結された電機子（図示せず）から自蔵エネルギー供給手段である発電機１３が構成されている。また、制御装置２７が発電機１３と電極６ａ、６ｂとに接続されている。
【００２９】次に動作について説明する。便器自動洗浄システム３の作動により給水弁２４が開き、便器洗浄用給水管２３を通り水道水が電解槽２１の電極間流路７に流入する。この流入水は翼車１２を高速で回転させ、発電機１３が水のエネルギーを電気エネルギーに変換する。発電された電気エネルギーは制御装置２７を介して電解槽２１内の一対の電極６ａ、６ｂに給電され、電極６ａ、６ｂのいずれかアノード側から銀イオンが溶出し、銀イオンを含んだ便器洗浄水が便器洗浄用給水管２３を通って小便器１に供給される。
【００３０】電極６ａ、６ｂの極性（すなわちアノードとカソード）は、制御装置２７が定期的に反転させており、カソード側に炭酸カルシウムなどのスケールが付着するのを防いでいる。この際、銀イオンの供給にともない、電極６ａ、６ｂは消耗していくので、電極がアノードである時間とカソードである時間とは均等にしておくことで一対の電極６ａ、６ｂを均等に消耗させることができ、最後まで無駄なく電極６ａ、６ｂを使い切ることができる。電極６ａ、６ｂは、それ自身から銀イオンを溶出させるため、寿命を長くできるという点で、純銀の板材が好ましいが、銀を含む合金や銀メッキであっても構わない。
【００３１】 なお、一対の電極６ａ、６ｂのうち少なくとも一方が銀であればよい。一方に銀以外の電極を用いる場合は、制御装置２７によって銀電極側の極性をアノードに切り替えることで銀イオンを供給することができる。また、この少なくとも一方が銀である対の電極を複数対設けてもよい。
【００３２】また、便器の使用様態によっては、必ずしも上記のごとき毎回の便器洗浄の時に銀イオンを供給するという動作には限られない。すなわち、銀の消耗を極力抑えたい場合には、数回おきの便器洗浄時にのみ銀イオンを供給する様態でもよい。また、銀の時間的な消耗を一定にしたい場合には、制御装置２７の出力信号を便器自動洗浄システム３に入力するように接続させ、便器使用後の便器洗浄時には銀イオンは供給させず、一定時間おきに制御装置２７が便器自動洗浄システム３を介して給水弁２４を開閉させることで自動的に便器洗浄を行い、この際にのみ銀イオンを供給する様態でもよい。さらに、たとえ銀の消耗が増大してでも、より高度な殺菌のレベルを維持したい場合には、便器使用後の便器洗浄時のみならず、非使用時にも一定時間おきに自動的に便器洗浄を行い、この際にも銀イオンを供給する様態でもよい。以上の動作は、便器の使用様態に応じて、制御装置２７の出力信号を便器自動洗浄システム３に入力するように接続させ、制御装置２７のプログラムを変更することで対応できる。
【００３３】電極間流路７の流れの状態は、翼車１２という異物が存在することの効果に加え、水流によって翼車１２が回転することによりかく乱させられ、乱流状態になる。
【００３４】 乱流状態においては、電極６ａ、６ｂのうちのアノード側（電極の金属銀がイオンとなって溶出する側）から溶出した銀イオンは、電極間流路７の断面方向（カソード側へ向かう方向）へも拡散されるので、電極間流路７内のアノード側電極近傍において電極と平行な方向に沿って下流に達するにしたがっても銀濃度が過剰に高くなることがない。その結果、銀イオンの溶出効率を高く維持することができ、水流により得られた電気エネルギーを無駄なく銀イオンの供給に使用することができる。
【００３５】次に本発明の効果を発揮させるのに必要な銀イオン濃度と電流について説明する。便器洗浄水に含有させる銀イオンの濃度は、一般的に銀イオンが殺菌効果を発揮するとされている５０μｇ／リットル以上にすることが好ましい。また、銀イオン濃度が過剰になると、小便器１のボウル面やトラップ部に酸化銀あるいは金属銀の析出物による黒ずみが生じることがあるので、３００μｇ／リットル以下に維持することが好ましい。
【００３６】便器洗浄水の流量は、一般的には１０リットル／分（＝０．１７リットル／秒）程度であり、この時に、電解槽２１内の電極６ａ、６ｂ間に電流としてわずか０．０３Ａを通電させた場合、電極反応効率（電極６ａ、６ｂ間に流れた電気量のうち、銀イオンの生成に用いられた量の割合）を仮に１００％とし、ファラデー定数を９６５００とすると、一対の電極６ａ、６ｂのうちのアノード側から流出する銀イオン（原子量１０７．９）濃度は下式のごとく、約１９７μｇ／リットルとなる。
・  ０３×１０７．９／９６５００／０．１７）＝１．９７×１０−４ｇ／リットル＝１９７μｇ／リットル電極反応効率は電解槽２１の設計（電極面積、電極間距離、電極間流路の断面積、電圧、電流など）や便器洗浄水の水質（電気伝導度、塩素イオン濃度、ｐＨなど）によって変化するが、本願出願人の実験により確認したところによると、日本の水道水の範囲であれば、いかなる条件においても、５０〜１００％であるので、生成される銀イオン濃度は９８〜１９７μｇ／リットルであると予想され、好適な銀イオン濃度範囲に入る。
【００３７】次に必要な電力について説明する。発電機１３が発電する電力に関しては、市販されている発電機（イナックス社製、商品名「オートマージュＡＭ−２１」に搭載されているもの）を用いて本願出願人が実測したところ、水の流量が１０リットル／分である時に０．４２Ｗの発電能力があった。一方、電極６ａ、６ｂにそれぞれ縦４０ｍｍ横９０ｍｍの銀の平板を用い、電極間の距離を５ｍｍに設計した電解槽に茅ヶ崎市の水道水（電気伝導度２０μＳ／ｍ、塩素イオン濃度１０ｍｇ／Ｌ、ｐＨ７．２）を１０リットル／分で通水させた場合、０．０３Ａの電流を流すのに必要な電圧はわずか４．６Ｖであり、感電のおそれのない電圧であった。この時必要な電力は約０．１４Ｗであり、前記発電機の発電量で十分に賄えるものであった。
【００３８】なお、発電機１３の発電量は翼車１２の回転速度、すなわち、電極間流路７の流量に比例する。また、時間あたりに電極６ａ、６ｂのアノード側から溶解される銀イオン量は給電される電気エネルギーに比例する。結果的として時間あたりに溶解される銀イオン量が洗浄水供給流路の流量に比例する結果となる。従って、供給されるランニングコストを不要にすることが可能であり、かつ、電極間流路７の流量が変動した場合においても、便器洗浄水の銀イオン濃度を一定に保つことができる。
【００３９】 以上の結果、商用電源への接続およびランニングコストが不要であり、停電時でも銀イオンを含んだ便器洗浄水を供給でき、小便器内及び配管内に存在する細菌を殺菌するため、水アカ、ぬめりの付着や臭気の発生を防止するとともに、小便器内の尿石付着の原因が排除され、小便器は常に清浄な状態に保たれて美観を損ねることもなく、尿石の配管内への付着による汚水通過路の狭小化が防止され、また、アンモニア等による臭気の発生も防止される。
【００４０】また、洗浄水供給流路の流量にかかわらず、便器洗浄水の銀イオン濃度を一定に保つことができ、さらに、電極における反応で生成した銀イオンが乱流による拡散で速やかに電極近傍から排除されるため、高い反応効率を維持することができ、エネルギーの無駄がない。
【００４１】図３は本発明に係る便器洗浄水の殺菌装置の第二の実施例である。第一の実施例にある翼車１２とこれに連結された電機子から構成される発電機１３を、発電部１４として別に設けた様態であっても、この発電部１４が便器洗浄用給水路のいずれかの場所にあれば電極６ａ、６ｂから銀イオンを供給することが可能なので、本発明が解決しようとする課題を逸するものではなく、図３に示すような第二の実施例も開示できる。
【００４２】図４は第二の実施例に用いる電解槽２５の詳細図である。電解槽２５の内部には金属銀の平板を向かい合わせて配置した一対の電極６ａ、６ｂがあり、この電極間に形成された電極間流路７が構成されている。
【００４３】また、図５は第二の実施例に用いる発電部１４の詳細図である。発電部１４は、流路１５と、この流路１５に設けられた翼車１２と、流路１５に連通する液体流入口と液体流出口とを有し、この翼車１２と、これに連結された電機子（図示せず）から発電機１３が構成されている。また、制御装置２７が発電機１３と電解槽２５の電極６ａ、６ｂとに接続されている。
【００４４】図３においては発電部１４を便器洗浄用給水管２３の電解槽２５と隣接した場所に設けたが、この場所に限らず、空き空間が存在する場所等適宜自由に配置して差し支えない。
【００４５】図６は本発明に係る便器洗浄水の殺菌装置の第三の実施例である。この第三の実施例は本発明を大便器に用いた場合である。大便器２に接続されたロータンク２２には、便器洗浄用給水管２３が接続されており、ロータンク２２内のロータンク内給水管４５に連通し、便器洗浄用給水路を構成している。ロータンク内給水管４５には、ボールタップ４４、発電部１４、第二の実施例と同じ電解槽２５がこの順に設けられている。
【００４６】次に動作について説明する。ロータンク２２に貯留されていた水は、使用後に洗浄コック４１を回転させることで玉鎖４２が引き上げられ、その先端に結合されている開閉弁４３が動作することにより、大便器２に流入する。ロータンク２２内部の水位が下がるとボールタップ４４が作動し、便器洗浄用給水管２３からの水道水がボールタップ４４、発電部１４、電解槽２５の順に通水され、発電部１４が発電した電気エネルギーが制御装置２７を介して電解槽２５内の一対の電極６ａ、６ｂに給電され、電極６ａ、６ｂのいずれかアノード側から銀イオンが溶出し、銀イオンを含んだ便器洗浄水がロータンク２２に貯留され、次回の便器洗浄時に大便器２に供給される。
【００４７】なお、電解槽２５、発電部１４の少なくとも一方を、ロータンク２２の外部の便器洗浄用給水管２３の途上に設けてもよい。
【００４８】図７は本発明に係る便器洗浄水の殺菌装置の第四の実施例である。第一〜第三の実施例にある発電機１３に代えて、自蔵エネルギー供給手段として公知の乾電池を設けても、電極６ａ、６ｂから銀イオンを供給することが可能なので、本発明が解決しようとする課題を逸するものではなく、図７に示すような第四の実施例も開示できる。
【００４９】本実施例においては、第二の実施例と同じ電解槽２５と、流量センサー３２とが便器洗浄用給水管２３のフラッシュバルブ等からなる給水弁２４よりも下流に設けられている。給水弁２４は公知の便器自動洗浄システム３に接続されている。便器洗浄用給水管２３は小便器１に接続されている。また、制御装置２７が流量センサー３２と乾電池３３と電解槽２５の電極６ａ、６ｂとに接続されている。
【００５０】次に動作について説明する。便器自動洗浄システム３の作動により給水弁２４が開き、便器洗浄用給水管２３を通り水道水が流量センサー３２→電解槽２５の順に流れる。流量センサー３２によって通水が検知され、乾電池３３の電気エネルギーが制御装置２７を介して電解槽２５内の一対の電極６ａ、６ｂに給電され、電極６ａ、６ｂのいずれかアノード側から銀イオンが溶出し、銀イオンを含んだ便器洗浄水が便器洗浄用給水管２３を通って小便器１に供給される。
【００５１】なお、流量センサー３２によって流量を検知することができるので、制御装置２７は電極６ａ、６ｂに、流量に比例した電流が流れるように制御することで、溶解する銀イオン濃度を一定に維持することができる。
【００５２】この時、流量センサー３２に代えて、定流量弁３１を設け、給水弁２４の開閉状態を制御装置２７が検知しうるように構成し、給水弁の開弁時に乾電池３３の電気エネルギーが制御装置２７を介して電解槽２５内の一対の電極６ａ、６ｂに給電されるようにしてもよい。この場合、定流量弁３１によって流量を一定に保つことができるので、制御装置２７は電極６ａ、６ｂに一定の電流が流れるように制御することで、溶解する銀イオン濃度を一定に維持することができる。
【００５３】
【００５４】
【００５５】
【００５６】
【００５７】
【００５８】また、本明細書においては、自蔵エネルギー供給手段として、水流による発電手段、あるいは乾電池を例に挙げて本発明の効果を説明したが、これ以外でも、商用電力を用いないものであれば本発明の効果は発揮され、例えば、室温と水温の差を利用したペルチェ素子による発電、水圧を開放した際の圧力差を利用した圧電素子による発電、便所内照明等を利用した太陽電池による発電でもよい。
【００５９】以上、本発明により、水アカ、ぬめりの付着や臭気の発生を防止する機能を備え、さらに小便器においては、尿石の付着にともなう汚水の通過路の狭小化や美観の損傷、臭気の発生をも防止する機能も兼ね備えるとともに、これらのあらゆる機能が停電時でも使用でき、かつ感電のおそれのない便器洗浄水の殺菌装置を提供することができる。
【図面の簡単な説明】
【図１】 本発明に係る便器洗浄水の殺菌装置の第一の実施例の構成図である。
【図２】 本発明の第一の実施例に用いる電解槽の構造図である。
【図３】 本発明に係る便器洗浄水の殺菌装置の第二の実施例の構成図である。
【図４】 本発明の第二の実施例に用いる電解槽の構造図である。
【図５】 本発明の第二の実施例に用いる発電部の構造図である。
【図６】 本発明に係る便器洗浄水の殺菌装置の第三の実施例の構成図である。
【図７】 本発明に係る便器洗浄水の殺菌装置の第四の実施例の構成図である。
【符号の説明】
１：小便器
２：大便器
３：便器自動洗浄システム
６ａ、６ｂ：電極
７：電極間流路
１２：翼車
１３：発電機
１４：発電部
１５：流路
２１、２５：電解槽
２２：ロータンク
２３：便器洗浄用給水管
２４：給水弁
２７：制御装置
３１：定流量弁
３２：流量センサー
３３：乾電池
４１：洗浄コック
４２：玉鎖
４３：開閉弁
４４：ボールタップ
４５：ロータンク内給水管
【手続補正２】
【補正対象書類名】図面
【補正対象項目名】図７
【補正方法】削除
【補正の内容】